(57)【要約】【課題】  着用者の腰部を前方に曲げる動作に対してズボンの型崩れを防止し高い美観を与え得るズボン用締結具の提供。【解決手段】  前身頃（１）及び後身頃（２）を縫い合わせたサイドシーム（３）に沿って腰部からウェストラインへ向けて拡がる略三角形状の切去部（４）を与えたズボンのウェストラインに沿った広がりを防止するためのズボン用締結具１９である。ズボン用締結具（１９）は、略帯状の本体部の両端に締結部（１３、１４）を与えられ、締結部（１３、１４）は本体部を切去部（４）の主面と略平行な面内で回動自在となるようにしつつズボンのウェストラインに沿って切去部（４）を挟んだその両縁部（１２）近傍にそれぞれ締結され得る。【選択図】  図４
0003165622.tif 000002
【実用新案登録請求の範囲】
【請求項１】
前身頃及び後身頃を縫い合わせたサイドシームに沿って腰部からウェストラインへ向けて拡がる略三角形状の切去部を与えたズボンの該ウェストラインに沿った広がりを防止するためのズボン用締結具であって、
略帯状の本体部の両端に締結部を与えられ、前記締結部は前記本体部を前記切去部の主面と略平行な面内で回動自在となるようにしつつ前記ズボンの前記ウェストラインに沿って前記切去部を挟んだその両縁部近傍にそれぞれ締結され得ることを特徴とするズボン用締結具。
【請求項２】
前記締結部は前記ズボンの前記ウェストラインに沿って前記切去部を挟んだその両縁部近傍において前記切去部の主面と略平行な面内で回動自在となるように回動自在に締結され得ることを特徴とする請求項１記載のズボン用締結具。
【請求項３】
前記締結部は前記ズボンの前記ウェストラインに沿って前記切去部を挟んだその両縁部近傍に締結され得て、前記本体部を前記切去部の主面と略平行な面内で回動自在となるように回動自在に支持することを特徴とする請求項１記載のズボン用締結具。
【請求項４】
前記ズボン及び前記締結部には、軸体とこれに回動自在に係合し得る係合片がそれぞれ与えられていることを特徴とする請求項２記載のズボン用締結具。
【請求項５】
前記本体部及び前記締結部には、軸体とこれに回動自在に係合し得る係合片がそれぞれ与えられていることを特徴とする請求項３記載のズボン用締結具。
【請求項６】
前記軸体及び前記係合片はボタンとボタンホールであることを特徴とする請求項４又は５に記載のズボン用締結具。
【請求項７】
前記軸体及び前記係合片はリベットとリベット受けであることを特徴とする請求項４又は５に記載のズボン用締結具。
【請求項８】
前記軸体及び前記係合片は一対のスナップボタンであることを特徴とする請求項４又は５に記載のズボン用締結具。
【考案の詳細な説明】
【技術分野】
【０００１】
本考案は、前身頃と後身頃との縫い合わせた線に沿って腰部からウェストラインへ向けて拡がる略三角形状の部位を切り去ったズボンに用いるズボン用締結具に関し、特に、着用者の腰部を前方に曲げる動作に対してズボンの型崩れを防止し高い美観を与え得るズボン用締結具に関する。
【背景技術】
【０００２】
股上の浅い、いわゆるローライズタイプのズボンは、腹部を締め付けていたベルトループの位置が低くなり、腹部を圧迫することがなく、快適である。また、ベルトを着用せずに腰部で固定でき、着用者の腰から上半身について優美でほっそりとした印象を与えることができる。更に、股上に対する股下の比率を高めることにより、股下を長く見せる効果もある。このような理由から、特にデニム生地を用いたジーンズズボンでローライズタイプが主流となっている。
【０００３】
しかし、特許文献１で述べられているように、ローライズタイプのズボンにおいて、着用者が「かがむ」「しゃがむ」といった腰部を前方に曲げる動作をすると、ズボンは着用者の腰部周囲の動きに追従できず、全体として美観を大きく損ねてしまう。更にズボンの上下方向において着用者との一体感を演出するようにベルトループ部とともにウェストバンド部も取り去ったズボンもあるが、この美観を損ねる傾向はより顕著になる。
【先行技術文献】
【特許文献】
【０００４】
【特許文献１】特開２００６−３２８６２５号公報
【考案の概要】
【考案が解決しようとする課題】
【０００５】
更に、ズボンの両脇部において、前身頃と後身頃との縫い合わせた線（サイドシーム）に沿って腰部からウェストラインへ向けて拡がる略三角形状の部位を切り去って上下方向のシャープ感を演出したズボンがある。切去部には背面よりこれを埋めるように裏布が取り付けられる。かかるズボンでは、着用者の腰部を前方に曲げる動作において、上記したような着用者の腰部周辺の動きにズボンが追従できないばかりか、ズボンの切り去った略三角形状の部位において、前身頃の上端部と後身頃の上端部がウェストラインに沿って広がって、全体として型崩れを生じ更に美観を大きく損ねさせてしまう。
【０００６】
これに対して、切去部の裏布の強度（剛性）を高めて型崩れを抑える方法なども考慮されるが、着用者の腰部を前方に、より大きく曲げるような動作に対しても型崩れを防止したいとの要求には対応しづらい。特に、ベルトループ部とともにウェストバンド部も取り去ったズボンの場合、型崩れが大きく、かかる要求は大きかった。
【０００７】
本考案は上記問題に鑑みてなされたものであって、その目的は、特に、前身頃及び後身頃を縫い合わせたサイドシームに沿って腰部からウェストラインに向けて拡がる略三角形状の切去部を与えたズボンにおいて、着用者の腰部を前方に曲げる動作に対してズボンの型崩れを防止し高い美観を与え得るズボン用締結具を提供することである。
【課題を解決するための手段】
【０００８】
本考案者は、前身頃及び後身頃を縫い合わせたサイドシームに沿って腰部からウェストラインに向けて拡がる略三角形状の切去部を与えたズボンにおいて、ズボンのウェストラインに沿って切去部の両縁部同士を連結させるズボン用締結具により上記課題を解決しようとした。かかるズボン用締結具であれば、着用者の腰部周辺の動きにズボンを追従させつつ、前身頃の上端部と後身頃の上端部のウェストラインに沿った広がりを抑制でき、ズボンの型崩れを防止できる。その一方で、前身頃の上端部は、後身頃の上端部に対して、胴回りに対して垂直方向に高く位置し、前身頃の上端部と後身頃の上端部の高さ方向に段差が生じようとする。この段差により、ズボン用締結具の略帯状の本体部は、長手方向に対し垂直方向に力を受けてよじれ、結果として、ズボンの型崩れによる美観の喪失と同様に、ズボン用締結具により美観を喪失させてしまう。
【０００９】
そこで、本考案によるズボン用締結具は、前身頃及び後身頃を縫い合わせたサイドシームに沿って腰部からウェストラインへ向けて拡がる略三角形状の切去部を与えたズボンの該ウェストラインに沿った広がりを防止するためのズボン用締結具であって、略帯状の本体部の両端に締結部を与えられ、前記締結部は前記本体部を前記切去部の主面と略平行な面内で回動自在となるようにしつつ前記ズボンの前記ウェストラインに沿って前記切去部を挟んだその両縁部近傍にそれぞれ締結され得ることを特徴とする。
【００１０】
かかる考案によれば、着用者の腰部を前方に曲げる動作において、着用者の腰部周辺の動きにズボンを追従させつつ、ズボンの切り去った略三角形状の部位において、前身頃の上端部と後身頃の上端部のウェストラインに沿った広がりを抑え、ズボン全体としての型崩れの発生を抑制し得る。さらに、ズボン用締結具の本体部を切去部の主面と略平行な面内で回動させ、ズボン用締結具の本体部のよじれの発生を抑制し得る。すなわち、ズボン用締結具により美観を喪失させることもない。
【００１１】
上記した考案において、前記締結部は前記ズボンの前記ウェストラインに沿って前記切去部を挟んだその両縁部近傍において前記切去部の主面と略平行な面内で回動自在となるように回動自在に締結され得ることを特徴としてもよい。かかる考案によれば、着用者の腰部を前方に曲げる動作において、ズボン用締結具は、締結部と本体部とを直線状に維持できて、ズボン用締結具により美観を喪失させることがない。
【００１２】
上記した考案において、前記締結部は前記ズボンの前記ウェストラインに沿って前記切去部を挟んだその両縁部近傍に締結され得て、前記本体部を前記切去部の主面と略平行な面内で回動自在となるように回動自在に支持することを特徴としてもよい。かかる考案によれば、着用者の腰部を前方に曲げる動作において、ズボン用締結具は、少なくとも本体部のよじれを防止し、その略帯状の直線状態を維持できて、ズボン用締結具により美観を喪失させることがない。
【００１３】
上記した考案において、前記ズボン及び前記締結部には、軸体とこれに回動自在に係合し得る係合片がそれぞれ与えられていることを特徴としてもよい。かかる考案によれば、着用者の腰部を前方に曲げる動作において、ズボン用締結具は、ズボンに対してズボン用締結具を確実に直線状に維持できて、ズボン用締結具により美観を喪失させることがない。
【００１４】
上記した考案において、前記本体部及び前記締結部には、軸体とこれに回動自在に係合し得る係合片がそれぞれ与えられていることを特徴としてもよい。かかる考案によれば、着用者の腰部を前方に曲げる動作において、ズボン用締結具は、締結部と本体部とを確実に直線状に維持できて、ズボン用締結具により美観を喪失させることがない。
【００１５】
上記した考案において、前記軸体及び前記係合片はボタンとボタンホールであることを特徴としてもよい。また、前記軸体及び前記係合片はリベットとリベット受けであることを特徴としてもよい。更に、前記軸体及び前記係合片は一対のスナップボタンであることを特徴としてもよい。かかる考案によれば、ズボン用締結具を容易且つ安価に製造し得るのである。
【図面の簡単な説明】
【００１６】
【図１】本考案によるズボン用締結具の（ａ）分解斜視図、及び、（ｂ）斜視図である。
【図２】本考案によるズボン用締結具を締結させるためのズボンの要部の斜視図である。
【図３】本考案によるズボン用締結具を締結させたズボンの斜視図である。
【図４】本考案によるズボン用締結具を締結させたズボンの要部の側面図である。
【図５】本考案によるズボン用締結具を締結させたズボンの着用時の要部の動作を示す側面図である。
【図６】本考案によるズボン用締結具の斜視図である。
【図７】本考案によるズボン用締結具の要部の側面（部分断面）図である。
【図８】本考案によるズボン用締結具の斜視図である。
【図９】本考案によるズボン用締結具の（ａ）〜（ｃ）部品の正面図及び断面図、（ｄ）要部の組み立て断面図である。
【考案を実施するための形態】
【００１７】
＜実施例１＞
本考案の１つの実施例によるズボン用締結具について図１及び図５を用いてその詳細を説明する。
【００１８】
図１に示すように、ズボン用締結具１９は、帯状体である前帯部１５ａと、前帯部１５ａの一端部を差し込んで前帯部１５ａに貫通した孔１８によって固定することのできる美錠によるバックル１７と、バックル１７をその一端部に取り付けられた帯状体である後帯部１５ｂとを有する。前帯部１５ａの他端部及び後帯部１５ｂの他端部にはそれぞれ前締結部１３及び後締結部１４が備えられる。前締結部１３及び後締結部１４にはそれぞれにボタン穴１６が形成されている。ズボン用締結具１９は、バックル１７のピン１７ａに対して前帯部１５ａを固定する孔１８を選択でき、その長さを調節できる。
【００１９】
図２及び図３に示すように、ズボン用締結具１９を締結することのできるズボン１００は、脇縫い線（サイドシーム線）３によってその側部を互いに縫合された前身頃１及び後身頃２を有する。かかる縫合は、前身頃１及び後身頃２の下端から股下高さ位置、つまり腰周りの最も太いところを一周した線のやや下方までにわたって施されている。一方、前身頃１の側部は、股下高さ近傍から胴回り１０にわたって斜め前方に傾斜している。また、後身頃２の側部についても、股下高さ近傍から胴回り１０にわたって斜め後方に傾斜している。これにより、ズボン１００は、脇縫い線３に沿って略股下高さ位置近傍の頂点１１からズボン１００の上方端部である胴回り１０に向けて略Ｖ字状に広がっている楔形カット部４を与えられる。楔形カット部４には、これを閉塞するようにその縁部１２に沿って縫い付けられたゴム織布などの伸縮素材からなる伸縮布６を裏側から与えられている。また、前身頃１及び後身頃２の上端部近傍の縁部１２近傍、つまり胴回り１０に沿って楔形カット部４を挟んだ両側の縁部１２近傍には、前身頃１側に前ボタン１３ａ、後身頃２側に後ボタン１４ａがそれぞれ取り付けられている。
【００２０】
前身頃１及び後身頃２は、１０番手以上の縦糸をインディゴによって染色し、横糸を未晒し糸（染色加工をしていない糸）で綾織りにした綿布（デニム生地）からなるが、より細い糸からなる葛城（かつらぎ）であってもよく、更には皮革であってもよい。
【００２１】
前身頃１は、ファスナー等の開閉具７によって股上部位が開閉自在に形成されると共に開閉具７の左右には前ポケット８が設けられている。また、後身頃２の臀部近傍にはその左右に後ポケット９が設けられている。
【００２２】
図４に示すように、ズボン用締結具１９は前ボタン１３ａ及び後ボタン１４ａをボタン穴１６にそれぞれ係合させて、前身頃１と後身頃２の縁部１２同士を胴回り１０に沿って連結するようにズボン１００に締結される。ズボン用締結具１９は、前ボタン１３ａによって締結されているので、前ボタン１３ａを軸として、楔形カット部４の外周により囲まれる面と略平行な面において回動することができる。同様に、ズボン用締結具１９は、後ボタン１４ａを軸として回動することができる。つまり、ズボン用締結具１９は、前ボタン１３ａ及び後ボタン１４ａに支持されて、前身頃１及び／又は後身頃２に対して角度を相対的に変化させることができる。また、ズボン用締結具１９はボタンによりズボン１００に締結されるので、ズボン１００に対して着脱可能である。
【００２３】
ところで、図５に示すように、ズボン１００の着用者がかがむなどして腰部を前方に曲げた姿勢をとると、後身頃２が股下方向へ引っ張られ、後身頃２の上方端部の位置が下がる。これにより前身頃１と後身頃２の間に脇縫い線３に沿った方向に段差が生じる。ここで、前ボタン１３ａ及び後ボタン１４ａにおいてズボン用締結具１９は回動しないと仮定する。この場合、段差の発生により、ズボン用締結具１９は長手方向に対して垂直な方向に力を受け、よじれてしまう。その結果、ズボン用締結具１９は、ズボン１００の全体としての美観を喪失させてしまうのである。
【００２４】
本実施例によれば、ズボン用締結具１９は、胴回り１０に沿って楔形カット部４の両側の縁部１２同士を連結するので、着用者が腰部を前方に曲げた場合にあっても、着用者の腰部周辺の動きにズボン１００を追従させ得る。すなわち、前身頃１の上端部と後身頃２の上端部の胴回り１０に沿った広がりを抑えるのである。また、ズボン用締結具１９は、前ボタン１３ａ又は後ボタン１４ａをそれぞれ軸として回動し角度を変化できるように締結されているので、着用者が腰部を前方に曲げた場合にあっても長手方向に対して垂直な方向に力を受けず、よじれない。つまり、ズボン用締結具１９は直線状態を維持できる。よって、ズボン用締結具１９によりズボン１００全体の美観を喪失させることもない。したがって、着用者が腰部を前方に曲げる動作をしても、ズボン１００全体としての型崩れの発生を抑制し高い美観を与え得るのである。
【００２５】
なお、本実施例では、バックル１７に美錠を用いたが、無段階で長さを調整できる布ベルト用のバックル、リボンベルト用のリングバックルなど、ズボン用締結具１９の本体部（前帯部１５ａ及び後帯部１５ｂ）の寸法や材質等に合わせ適宜変更できる。
【００２６】
＜実施例２＞
本考案の他の実施例によるズボン用締結具について図６及び図７を用いて説明する。
【００２７】
実施例１のボタン及びボタン穴の組み合わせに対し、本実施例では、スナップボタンによりズボン用締結具２０を着脱可能にズボン１００に取り付ける。すなわち、図６及び図７に示すように、前締結部１３及び後締結部１４に金属製のオス型スナップボタン２３を取り付け、これに対応するようズボン１００の上端部近傍且つ楔形カット部４を挟んだ両側の縁部１２近傍に金属製のメス型スナップボタン２４を取り付けた。
【００２８】
オス型スナップボタン２３は、フランジ２５ａ及び円筒部２５ｂを有するポスト２５とフランジ２６ａ及び上面視略円形の凸部２６ｂを有するスタッド２６とからなる。ポスト２５とスタッド２６により前締結部１３又は後締結部１４を挟み込んで、円筒部２５ｂを凸部２６ｂの内周側に係合させることにより、オス型スナップボタン２３は前締結部１３又は後締結部１４に固定される。
【００２９】
メス型スナップボタン２４は、外周部の内側に溝２７ａを有し、凸部２６ｂを係合させる上面視略円形の係合部２７ｂを内周に備えたソケット２７と外周環状板２８ａ及び突起２８ｂを有するブロング２８とからなる。突起２８ｂは前身頃１又は後身頃２を貫通して溝２７ａに沿って変形してソケット２７に固定される。つまり、メス型スナップボタン２４は、ソケット２７とブロング２８とで前身頃１又は後身頃２をそれぞれ挟み込んでズボン１に固定される。このメス型スナップボタン２４の係合部２７ｂに対し、オス型スナップボタン２３の凸部２６ｂを挿入させて係合させることにより、メス型スナップボタン２４をオス型スナップボタン２３に取り付けることができる。
【００３０】
メス型スナップボタン２４をオス型スナップボタン２３に取り付けると、ズボン用締結具２０は胴回り１０に沿って楔形カット部４の両側の縁部１２同士を連結する。これにより、前身頃１の上端部と後身頃２の上端部の胴回り１０に沿った広がりを抑える。また、互いに上面視略円形の凸部２６ｂと係合部２７ｂとによって係合されるので、メス型スナップボタン２４はオス型スナップボタン２３を軸として円滑に回動できる。よって、ズボン用締結具２０は前身頃１及び後身頃２の上端の段差に追従して円滑に角度を変えることができ、よじれない。すなわち、着用者が腰を前方に曲げる姿勢をとっても、ズボン用締結具２０はその直線状態を維持できて、実施例１と同様にズボン１００全体としての型崩れの発生を抑制し高い美観を与え得るのである。
【００３１】
＜実施例３＞
本考案の更に他の実施例によるズボン用締結具について図８及び図９を用いて説明する。
【００３２】
本実施例のズボン用締結具３０では、図８及び図９に示すように、前締結部１３及び後締結部１４にハトメ３４を固定し、ズボン１００の縁部１２近傍にリベット３３及びリベット受け３５を固定した。ハトメ３４は金属からなる両端に鍔を有した内周を略円形とした環状体であり、前締結部１３及び後締結部１４にそれぞれかしめられている。ハトメ３４には略円筒状のリベット受け３５が貫挿されている。リベット受け３５の両端部にはリベット３３がそれぞれ挿入されて取り付けられる。リベット受け３５の一端部は、前身頃１又は後身頃２をリベット３３の鍔と挟んで固定している。これにより、リベット３３及びリベット受け３５は、前身頃１及び後身頃２の楔形カット部４の両側の縁部１２近傍にそれぞれ固定される。ズボン用締結具３０はズボン１００に固定されたリベット３３及びリベット受け３５に締結される。なお、リベット受け３５の他端部に取り付けられるリベット３３は、ねじ等により取り外し可能にリベット受け３５に締結されてもよい。これによれば、ズボン用締結具３０を着脱可能にズボン１００に締結できる。
【００３３】
上記のように締結することで、ズボン用締結具３０は、胴回り１０に沿って楔形カット部４の両側の縁部１２同士を連結する。これにより、前身頃１の上端部と後身頃２の上端部の胴回り１０に沿った広がりを抑える。また、リベット受け３５に貫挿されたハトメ３４は、略円筒状のリベット受け３５を軸として円滑に回動できる。つまり、上記した実施例と同様にズボン用締結具３０は前身頃１及び後身頃２の上端の段差に追従して角度を変えることができ、よじれない。したがって、着用者が腰を前方に曲げる姿勢をとっても、ズボン用締結具３０は実施例１と同様にその直線状態を維持できて、ズボン１００全体としての型崩れの発生を抑制し高い美感を与え得るのである。
【００３４】
上記した実施例では、いずれもズボン１００と締結部１３及び１４とが互いに回動自在に締結されていたが、例えば、締結部に対して更に本体部（前帯部及び後帯部）が回動可能に締結されているような態様でも良い。すなわち、締結部が本体部とは別体で設けられ、上記と同様にズボン１００と締結部が締結される。更に締結部にボタンが取り付けられて、これに本体部に設けられたボタンホールによって本体部が締結されるような態様である。かかる態様によれば、楔形カット部４の外周により囲まれる面と略平行な面内で本体部が締結部に対して回動自在に締結される。このような態様によっても、少なくとも本体部はそのよじれが防止されるので、上記した実施例と同様に、ズボン全体としての型崩れの発生を抑制し、高い美感を与え得る。
【００３５】
なお、ここまでいわゆるローライズタイプであるズボン１００に対してズボン用締結具を使用した実施例について説明してきたが、これに限定されるものでなく、ハイライズタイプのズボンに対してズボン用締結具を使用してもよい。
【００３６】
ここまで本考案による代表的実施例及びこれに基づく変形例について説明したが、本考案は必ずしもこれらに限定されるものではない。当業者であれば、添付した実用新案登録請求の範囲を逸脱することなく、種々の代替実施例及び改変例を見出すことができるだろう。
【符号の説明】
【００３７】
１  前身頃
２  後身頃
３  脇縫い線
４  楔形カット部
１３  前締結部
１４  後締結部
１５ａ  前帯部
１５ｂ  後帯部
１７  バックル
１９、２０、３０  ズボン用締結具
１００  ズボン
【図１】
0003165622.tif 000003
【図２】
0003165622.tif 000004
【図３】
0003165622.tif 000005
【図４】
0003165622.tif 000006
【図５】
0003165622.tif 000007
【図６】
0003165622.tif 000008
【図７】
0003165622.tif 000009
【図８】
0003165622.tif 000010
【図９】
0003165622.tif 000011